(57)【要約】【課題】生体のうち曲面又は伸縮の量が大きい皮膚へ機能付与物質の供給可能な部位を従来より増加させることができる皮膚用針を提供する。【解決手段】皮膚の曲がっている部位に対応するよう針の長さが異なる少なくとも２本以上のマイクロパイル３１を同一の基台３２上に配列し、そのマイクロパイル３１及び基台３２は、生体９０内で溶解し消失する性質を有する。これにより、該針が生体のうち曲がっている部位や曲がる部位の皮膚に貼付されても、十分な量の機能付与物質を生体内に導入することができる。【選択図】  図２
2007037707.tif 000002
【特許請求の範囲】
【請求項１】
生体に所定の機能を付与する物質を含んだ材料で構成された複数の皮膚用針を備えた針具において、
前記複数の皮膚用針が、長さの異なる針を有することを特徴とする皮膚用針具。
【請求項２】
前記皮膚用針及び該針が形成される基台の材料が、前記生体内で溶解して消失する特性を有することを特徴とする請求項１に記載の皮膚用針具。
【発明の詳細な説明】
【技術分野】
【０００１】
本発明は、生体に所定の機能を付与するための皮膚用針に関するものである。
【背景技術】
【０００２】
従来、皮膚用針として、生体の皮膚に穴を開けるための皮膚用針を備え、生体に所定の機能を付与するための物質（以下「機能付与物質」という。）を皮膚用針によって皮膚に皮膚に開けられた穴を介して生体内に導入するものが知られている（例えば、特許文献１参照）。
【０００３】
【特許文献１】意匠登録第１２２７６３２号公報
【発明の開示】
【発明が解決しようとする課題】
【０００４】
しかしながら、従来の皮膚用針においては、図６に示すように生体のうち曲がっている部位や曲がる部位（例えば肘や膝等）の皮膚に刺されても、外力によって変形させられない限り皮膚用針の幾つかが皮膚に刺さらないので、十分な量の機能付与物質を生体内に導入することができない可能性がり、また皮膚用針に無理な力が加わって皮膚用針が折れて生体内に残留する可能性があり好ましくなかった。
【０００５】
本発明は、生体のうち曲面又は伸縮の量が大きい皮膚へ機能付与物質の供給可能な部位を従来より増加させることができる皮膚用針を提供することを目的とする。
【課題を解決するための手段】
【０００６】
本発明の皮膚用針具は、複数の皮膚用針のうち長さの異なる針を有している。従って、その長さを皮膚の凹凸に応じた長さとすることにより、生体のうち曲がっている部位や曲がる部位の皮膚に貼付されても、十分な量の機能付与物質を生体内に導入することができる。
【０００７】
さらに、前記皮膚用針及び該針の形成される基台の材料を、生体内で溶解して消失する特性を有するものとすることにより、人体に無害で安全な皮膚用針具となる。
【発明の効果】
【０００８】
本発明は、生体のうち曲面又は伸縮の量が大きい皮膚へ機能付与物質の供給可能な部位を従来より増加させることができる。
【発明を実施するための最良の形態】
【０００９】
以下、本発明の一実施の形態について、図面を用いて説明する。
図１及び図２に示すように、本実施の形態に係る皮膚用針としての曲面用マイクロパイル１０は、生体９０内に機能付与物質１００を導入するための穴９１ａを生体９０の皮膚９１に開けるための皮膚用針が、皮膚の曲がっている部位に対応する針の長さが異なる少なくとも２本以上のマイクロパイル３１を同一の基台３２上に配列されている。
【００１０】
マイクロパイル３１及び基台３２は、生体９０内で溶解し消失する材料３０（例えばマルトースや蛋白質等）が主成分であり、機能付与物質１００が混入されている。
【００１１】
また、同一の基台３２上に配列されたマイクロパイル３１は、数百μｍ以下の異なる長さで構成された針である。
【００１２】
なお、曲面用マイクロパイル１０のマイクロパイル３１及び基台３２の製造方法は、図３（ａ）に示すように駆動ステージ１５１に設置されたヒーター１４２を有する基板１４１の上に設置された材料３０がヒーター１４２によって加熱された後、図３（ｂ）に示すように矢印１４７ａで示す方向に移動させられたピン１４７が材料３０に付着され、更に、図３（ｃ）に示すようにピン１４７が矢印１４７ｂで示す方向に移動されて材料３０の一部がピン１４７に付着して引き伸ばされることによって製造される。
以下、図３に示すように材料の張力を利用したマイクロパイルの製造方法を張力製法という。
【００１３】
また、長さの異なるマイクロパイル３１を同じ基台３２上に少なくとも２本以上成形するために、図３（ｄ）に示すように駆動ステージ１５１によって基板１４１を矢印１４１ａに示す方向に移動させ、矢印１４７ａで示す方向に移動させられたピン１４７が材料３０のマイクロパイル３１が成形されていない箇所、或いは隣接するための箇所に付着させ、図３（ｅ）に示すようにピン１４７が矢印１４７ｂで示す方向に移動させ、材料３０を引き伸ばされることで、同じ基台３２上に少なくとも２本以上のマイクロパイル３１を形成できる。ここで、図３（ｄ）から図３（ｅ）の工程を繰り返す際、基盤１４１の移動方向１４１ａ、１４１ｂ、１４１ｃ、１４１ｄと、ピン１４７の移動１４７ｂ量を任意に組み合わせることによって図１に示す複数の異なった長さのマイクロパイル３１を有する曲面用マイクロパイル１０が製造可能となる。
【００１４】
次に、曲面用マイクロパイル１０の使用方法について説明する。
曲面用マイクロパイル１０の利用者は、基台３２を持ってマイクロパイル３１を自己又は他人の皮膚９１に押し当てながら図２に示すように曲面用マイクロパイル１０を皮膚９１に差し込むことができる。ここで、マイクロパイル３１が十分に微細に製造されていれば、マイクロパイル３１が皮膚９１に刺された人は、痛みを感じることが無い。
【００１５】
なお、利用者は、マイクロパイル３１を皮膚９１に刺した状態で基台３２に負荷を加えることによって、マイクロパイル３１を基台３２から切断し、マイクロパイル３１を皮膚９１内に残留させても良い。もちろん、利用者は、マイクロパイル３１を皮膚９１に残留させず、マイクロパイル３１を皮膚９１に刺した状態で一定期間経過した後、基台３２を介してマイクロパイル３１を皮膚９１から抜き出しても良い。
【００１６】
マイクロパイル３１は、皮膚９１に刺された状態で一定期間保持されると、皮膚９１に含まれる水分等で溶解される。
【００１７】
したがって、マイクロパイル３１が皮膚９１内で溶解された人は、マイクロパイル３１内の機能付与物質１００によって種々の効果を得ることができる。例えば、マイクロパイル３１内の機能付与物質１００が食紅等の着色剤であるとき、マイクロパイル３１が皮膚９１内で溶解されて曲面用マイクロパイル１０が皮膚９１から外された人は、皮膚９１に化粧等の装飾効果を得ることができる。また、マイクロパイル３１内の機能付与物質１００が紫外線吸収剤であるとき、マイクロパイル３１が皮膚９１内で溶解された人は、皮膚９１に日焼け止め効果を得ることができる。また、マイクロパイル３１内の機能付与物質１００がインシュリン等の薬剤であるとき、マイクロパイル３１が皮膚９１内で溶解された人は、糖尿病等の治療や予防が行われることになる。
【００１８】
なお、図１に示す曲面用マイクロパイル１０は、針の長さの配列が図１（ｂ）に示すような基台３２の中央にむかって段階的に短くすることにより凹状になっているが、異なった針の長さの配列になっていても良い。例えば、曲面用マイクロパイル１０は、図４（ｂ）に示すように、針の長さの配列が基台３２の中央にむかって段階的に長くすることにより凸状になっていても良いし、図５に示すように、針の長さの配列が基台３２の中央にむかって段階的に長短を繰り返すことによりW状の配列になっていても良い。
【００１９】
以上に説明したように、曲面用マイクロパイル１０は、機能付与物質１００を、生体９０内で溶解し消失する性質を有する物質で成形された、曲面に対応するための異なる長さを同一の基台３２上に配列された複数のマイクロパイル３１を、生体９０のうち曲がっている部位や曲がる部位の皮膚９１に挿入されても十分な量の機能付与物質１００を生体９０内に導入することができる。したがって、曲面用マイクロパイル１０は、生体９０のうち挿入可能な部位を従来より増加させることができる。
【００２０】
また、図１、図４及び図５に示す曲面用マイクロパイル１０は、それぞれ少なくとも２本以上の異なる長さのマイクロパイル３１が同一の基台３２上に配列されており、長さの異なるマイクロパイル３１の配列によってできた針先の形状が、生体９０のうち曲がっている部位や曲がる部位の皮膚９１の形状に対応できるため、十分な量の機能付与物質１００を生体９０内に導入することができるだけの十分な本数のマイクロパイル３１を皮膚９１に刺すことができる。したがって、図１、図４及び図５に示す曲面用マイクロパイル１０は、生体９０のうち導入可能な部位を従来より増加させることができる。
【産業上の利用可能性】
【００２１】
以上のように、本発明に係る皮膚用針としてのマイクロパイルは、生体のうち貼付可能な部位を従来より増加させることができるので、生体のうち曲がっている部位や曲がる部位の皮膚に機能付与物質を導入させる皮膚用針等として有用である。
【図面の簡単な説明】
【００２２】
【図１】（ａ）本発明の実施の形態に係る曲面用マイクロパイルの外観斜視図  （ｂ）図１（ａ）に示す曲面用マイクロパイルの側面図
【図２】図１に示す曲面用マイクロパイルの使用状態での側面断面図
【図３】（ａ）図１に示す曲面用マイクロパイルのマイクロパイル及び基台の材料の加熱状態での側面図  （ｂ）ピンが付着された状態での図３（ａ）に示す材料の側面図  （ｃ）図３（ｂ）に示す材料からピンが離隔されて製造されたマイクロパイル及び基台の側面図  （ｄ）基板移動後のピンが付着された状態での図３（ａ）以後に示す材料の側面図  （ｅ）図３（ｄ）に示す材料からピンが離隔されて製造されたマイクロパイル及び基台の断面図
【図４】（ａ）図１に示すマイクロパイルの配列とは異なる構成での本発明の実施の形態に係る曲面対応型マイクロパイルの外観斜視図  （ｂ）図４（ａ）に示す曲面用マイクロパイルの側面図
【図５】（ａ）図１に示すマイクロパイルの配列とは異なる構成での本発明の実施の形態に係る曲面用マイクロパイルの外観斜視図  （ｂ）図５（ａ）に示す曲面用マイクロパイルの側面図
【図６】従来の皮膚用針が、生体の曲がる部位（例えば肘や膝等）の皮膚に刺された状態を示す側面図
【符号の説明】
【００２３】
１０  曲面用マイクロパイル
３０  材料
３１  マイクロパイル（皮膚用針）
３２  基台（皮膚用針の支持部）
９０  生体
９１  皮膚
９１ａ  穴
１００  機能付与物質（生体に所定の機能を付与するための物質）
１４１  基板
１４２  ヒーター
１４７  ピン
１５１  駆動ステージ
【図１】
2007037707.tif 000003
【図２】
2007037707.tif 000004
【図３】
2007037707.tif 000005
【図４】
2007037707.tif 000006
【図５】
2007037707.tif 000007
【図６】
2007037707.tif 000008